(57)【要約】    【課題】  構成簡易性および経済性を兼ね備え、大梁を墨出しの基準線とする施工工事がしやすく、間仕切り壁を貫通して通す工事も容易な、微小角度で配管同士を接続する配管接続構造を提供する。    【解決手段】  所定の角度２θを呈するように、かつ、端部同士の間に所定の間隔をあけて配置された２本の直管１１、１２と、それらの直管の端部の間に介在される角度調節管１３とからなる配管接続構造１０。角度調節管１３は、直管からなる中央部２５と、その中央部の両端から傾斜して連続している左右の連結部２６とを備えている。連結部２６の端部と前記２本の直管１１、１２の端部とが、溶接継ぎ手によって接続されている。【選択図】  図１
2005163862.tif 000002
【特許請求の範囲】
【請求項１】
２本の配管を微小な所定の角度で接続する配管接続構造であって、
前記所定の角度を呈するように、かつ、端部同士の間に所定の間隔をあけて配置された２本の配管と、
それらの配管の端部の間に介在される角度調節管とからなり、
その角度調節管が、直管からなる中央部と、その中央部の両端から、左右の角度を合わせると前記所定の角度となる角度で連続している左右の連結部とを備えており、
前記角度調節管の連結部の端部と前記２本の配管の端部とが、液密状ないし気密状に継ぎ手によって接続されている、
配管接続構造。
【請求項２】
前記左右の連結部のうち、一方の連結部の角度が０度で、中央部の延長部となっており、他方の連結部の中央部に対する角度が前記所定の角度である請求項１記載の配管連結構造。
【請求項３】
前記左右の連結部が、それぞれ前記中央部に対し、同じ側に傾斜して連続している請求項１記載の配管接続構造。
【請求項４】
前記連結部のうち中央部に対して傾斜している連結部が曲げ加工により構成されている請求項１記載の配管接続構造。
【請求項５】
前記連結部のうち中央部に対して傾斜している連結部が、中央部に対して溶接により接続している請求項１記載の配管接続構造。
【請求項６】
前記連結部の端部と２本の配管の端部とが、溶接継ぎ手によって接続されている請求項１記載の配管接続構造。
【請求項７】
前記連結部の端部と２本の配管の端部とが、フランジ継ぎ手によって接続されている請求項１記載の配管接続構造。
【請求項８】
前記連結部の端部と２本の配管の端部とが、ソケット継ぎ手によって接続されている請求項１記載の配管接続構造。
【請求項９】
２本の配管同士を所定の微小な角度で接続するための角度調節管であって、直管からなる中央部と、その中央部の両端から、左右の角度を合わせると前記所定の角度となる角度で連続している左右の連結部とを備えている角度調節管。
【発明の詳細な説明】
【技術分野】
【０００１】
本発明は配管接続構造およびそれに用いる角度調節管に関する。さらに詳しくは、大きい曲率半径の円弧状の配管を、多数の直管を多角形状に連結することにより近似的に形成するときに用いる配管接続構造およびそれに用いる角度調節管に関する。
【背景技術】
【０００２】
運動競技場の観客席など、外周に長い円弧ないし曲線を持つ建物の場合、その円弧ないし曲線方向に複数本の柱が配列されており、それらの円弧ないし曲線の接線に対して略直角方向（以下、法線方向という）に複数本の柱が並べられて通り芯となっている。そして円弧ないし曲線状に配列される柱同士は大梁で連結され、いわば円弧ないし曲線における弦の方向に設置されている（以下、その方向を接線方向という）。なお、法線方向に配列される柱同士も、大梁で連結されており、接線方向の大梁と法線方向の大梁とで、多数の台形状の枠が網目状に連結された構造が形成され、それらで屋根を支えている。
【０００３】
建物の外周に沿って設置される室の空調用冷温水配管、冷却水配管、上水配管などを天井に敷設する場合、配管位置の墨出しには接線方向の通り芯からの距離で位置決めし、配管位置の墨出しをする。すなわち、建築の基準墨である接線方向の通り芯に平行に直管の設置位置を決める。よって、建築外周円弧の法線方向の通り芯（大梁）とクロスする管の延長線上部分での配管接続が必要である。
【０００４】
このように、建築外周円弧に沿って設置される室部分に配管を敷設する際には、従来次のような技術などを使っていた。
【特許文献１】特開平７−１４５８８７号公報
【０００５】
特許文献１には、従来技術として、図８に示すような、直管１０１、１０２の端部同士をフレキシブル継ぎ手１０３で接続する配管接続構造が記載されている。この技術では、フレキシブル継ぎ手（可撓管）１０３の両端部に溶接したフランジ１０３ａ、１０３ｂと、直管のフランジ１０１ａ、１０２ａを突き合わせてボルトによって締結し、所定の微小角度になるように強制的にフレキシブル継ぎ手１０３の可撓部を曲げることによって、直管１０１、１０２同士を微小の曲がり角度で締結することができる。
【０００６】
施工に当たっては、建築の基準墨出し線から距離を追って墨出しし、配管用インサート金物などの吊り金物を用い、先に直管を本設吊り込みしてから、接続個所のフレキシブル継ぎ手１０３により、角度や接続位置、フランジの面間距離を現場合わせにより接続する。そのため、直管の芯出しおよび接続には手間をかけなくてよく、施工性もよい。
【０００７】
また、特許文献１には、従来技術として、図９に示すような、中央で微小な角度で屈曲したベント管１０４を用いて直管１０１、１０２同士を連結する配管接続構造も記載されている。ベント管１０４の両端にはフランジ１０４ａ、１０４ｂが設けられ、それらのフランジ１０４ａ、１０４ｂを直管のフランジ１０１ａ、１０１ｂと連結している。
【０００８】
他方、特許文献１が新たに提案している技術は、図１０に示すように、楔形のスペーサ１０５を用い、一方の直管１０１のフランジ１０１ａ、パッキン１０６、スペーサ１０５、他のパッキン１０６、他方の直管のフランジ１０２ａの順に重ね、それらを締め付けボルト１０７で連結する構造である。この構造によれば、前記従来技術のような中間にパイプを介在させる必要がなく。フランジの個数を減少させることができるとしている。
【発明の開示】
【発明が解決しようとする課題】
【０００９】
図８のフレキシブル継ぎ手１０３を用いる方法は、特許文献１にも記載されているように、施工性はよいが、所定の曲げ角度になるように弾力的に曲げているため、直管１０１、１０２に反力が加わる問題がある。そのため、直管の支持・固定方法を強固にする必要があり、その分だけ作業工数が増大し、材料コストも増大する。また、フレキシブル継ぎ手自体も非常に高価である。また、継ぎ手に伸縮などが加わるので、支持固定の状況如何ではフレキシブル継ぎ手１０３のベローズ部とフランジの接続部など、一部に応力集中し、継ぎ手が破損するおそれがある。
【００１０】
また図９のベント管１０４を用いる方法は、弾性変形もなく、比較的安価に製造できるので、前述のフレキシブル継ぎ手のような問題はない。しかし中央部で折れ曲がっているので取り扱いが不便であり、しかも大梁（図２の符号１４参照）あるいはその下方の間仕切り壁（図１４の符号１５）に貫通孔（図１４の符号１６）を設けて通す場合は、作業が困難である。とくに配管に断熱材（図１ｂの符号３４）を装着する作業は困難性が一層増大する。また、法線方向の基準となる大梁１０６の位置に曲折部分１０４ｃが来るため、芯出しの施工性も低い。
【００１１】
さらに図１０の楔形のスペーサ１０５を挟んで直管１０１、１０２のフランジ同士を連結する方法は、大梁や間仕切り壁の部分にフランジが来るので、図９のベント管を用いる場合と同様の問題があり、実際には採用できる場合が限られる。
【００１２】
本発明は前記フレキシブル継ぎ手の施工性のよさと、ベント管の簡便性および経済性を兼ね備え、しかも大梁の位置を墨出しの基準線とする施工工事がしやすく、大梁や壁を貫通させる工事も容易な、微小角度で配管同士を接続する配管接続構造およびそれに用いる角度調節管を提供することを技術課題としている。
【課題を解決するための手段】
【００１３】
本発明の配管接続構造（請求項１）は２本の配管を微小な所定の角度で接続する配管接続構造であって、前記所定の角度を呈するように、かつ、端部同士の間に所定の間隔をあけて配置された２本の配管と、それらの配管の端部の間に介在される角度調節管とからなり、その角度調節管が、直管からなる中央部と、その中央部の両端から、左右の角度を合わせると前記所定の角度となる角度で連続している左右の連結部とを備えており、前記角度調節管の連結部の端部と前記２本の配管の端部とが、液密状ないし気密状に継ぎ手によって接続されていることを特徴としている。
【００１４】
このような配管接続構造においては、前記左右の連結部のうち、一方の連結部の角度が０度で、中央部の延長部となっており、他方の連結部の中央部に対する角度が前記所定の角度であるものでもよい（請求項２）。また、左右の連結部がそれぞれ前記中央部に対し、同じ側に傾斜して連続していてもよい（請求項３）。その場合は、前記左右の連結部が、前記所定の角度の１／５〜４／５の角度で中央部に連続しているものが好ましい。前記連結部のうち中央部に対して傾斜している連結部は曲げ加工によって構成することもでき（請求項４）、中央部に対して溶接により接続するようにしてもよい（請求項５）。さらに前記連結部の端部と２本の配管の端部とが、溶接継ぎ手によって接続されているものが一層好ましい（請求項６）。ただし前記連結部の端部と２本の配管の端部とは、フランジ継ぎ手によって接続されていてもよく（請求項７）、ソケット継ぎ手によって接続されていてもよい（請求項８）。
【００１５】
本発明の角度調節管（請求項９）は、２本の配管同士を所定の微小な角度で接続するための角度調節管であって、直管からなる中央部と、その中央部の両端から、左右の角度を合わせると前記所定の角度となる角度で連続している左右の連結部とを備えていることを特徴としている。
【発明の効果】
【００１６】
本発明の配管接続構造（請求項１）を用いて天井に配管工事をする場合、天井に記した基準墨出し線に基づいて２本の直管を吊り金具によって吊っておき、それらの端部の間に角度調節管を接続する。その場合、連結部と左右の直管とは直線同士で芯合わせすればよいので、誤差が生じにくい。また、角度調節管の連結部は、中央部の端部の延長か、それから短く延びているだけであるので、中央部の中心軸から、横方向にあまり突出していない。そのため、大梁や壁に形成した貫通孔に容易に通すことができる。とくに配管全体に断熱材を装着する場合でも、貫通孔に通してから装着することができる。
【００１７】
このような配管接続構造において、前記左右の連結部のうち、一方の連結部の角度が０度で、中央部の延長部となっており、他方の連結部の中央部に対する角度が前記所定の角度である場合（請求項２）は、曲線状に柱が並んでいる部位と、直線上に柱が並んでいる部位との境界部に配置する場合に都合がよい。また、まっすぐな連結部の側から貫通孔に挿入すると、挿入が容易である。
また、前記左右の連結部が、それぞれ前記中央部に対し、同じ側に傾斜して連続している角度調節管を用いる場合（請求項３）は、円弧状ないし曲線状に柱が並んでいる場合に、左右の配管を接続する場合に都合がよい。なお、一般的には法線方向の基準線は等角度で並んでいないので、基準線とその両側に配置される配管とがなす角度は左右で異なる。すなわち隣接する基準線間の角度が小さい場合は基準線と配管の角度が９０度に近くなり、基準線間の角度が大きい場合は基準線と配管の角度が小さくなる。そのため、基準線と中央部とを直交させようとすると、連結部と中央部のなす角度は左右で異なることになる。なお、基準線が等間隔（等角度）で並んでいる場合は、基準線と配管のなす角度が左右で等角度になる。その場合は、前記連結部が左右で等角度の角度調節管を用いて基準線と中央部とを直角に配置すればよい。
前記連結部のうち中央部に対して傾斜している連結部が曲げ加工により構成されている角度調節管（請求項４）は、製造が容易である。
また、傾斜している連結部を中央部に対して溶接により接続する場合（請求項５）は、傾斜角度が正確になる。
【００１８】
前記連結部の端部と２本の配管の端部とが、溶接継ぎ手によって接続されている場合（請求項６）は、フランジ加工の手間が減り、フランジ加工の誤差とも無縁になる。さらに材料、加工、施工のいずれのコストも一層低下する。さらにフランジ接続の場合のパッキンが不要になり、長期間の使用後のパッキンの劣化による漏れの問題がない。また、直管の長さや角度調節管の加工に誤差があっても、管端を削るなどの微小加工ができることから、現場合わせが容易である。さらに角度調節管の方で調整ができるので、あらかじめ配置した直管については、ほとんど調節が不要である。これにより直管の配管の芯出しが容易にでき、溶接品質を高く維持できる。また、結果として、建築の基準墨からの配管墨出し位置に直管を忠実に吊れるので、建築の接線方向（弦の方向）に合わせている梁（大梁と平行な梁）に沿って吊ることができ、吊り金物の設置も一層容易である。また、配管から取り出すタッピング位置の誤差も少なくなり、その後の機器接続の枝配管の墨出しも容易で、工期短縮が図れる。
【００１９】
前記連結部の端部と２本の配管の端部とをフランジ継ぎ手によって接続する場合（請求項７）は、溶接継ぎ手を採用することができない場合、たとえば直管などが合成樹脂製の場合や、鋼管の内面に合成樹脂製のライニングや保護パイプを設置する場合でも、本発明を適用することができ、前述の基本的な効果を得ることができる。ソケット継ぎ手によって接続されている場合（請求項８）についても同様である。
【００２０】
本発明の角度調節管（請求項９）は、前述の本発明の配管接続構造に用いることができ、それによりその構造の作用効果を得ることができる。
【発明を実施するための最良の形態】
【００２１】
つぎに図面を参照しながら本発明の配管接続構造および角度調節管の実施の形態を説明する。図１ａおよび図１ｂはそれぞれ本発明の配管接続構造の一実施形態を示す組立前の平面図および組立後の平面図、図２はその配管接続構造の組立途中の斜視図、図３ａは図１の配管接続構造に用いる角度調節管の平面図、図３ｂおよび図３ｃはそれぞれその角度調節管の製造法の一実施形態を示す概略工程図、図４は図１の配管接続構造を用いた建物の円弧状配管の一実施形態を示す平面図、図５は図１の配管接続構造を用いた建物の円弧状配管の他の実施形態を示す平面図、図６および図７はそれぞれ本発明の配管接続構造の他の実施形態を示す平面図である。
【００２２】
図１ａおよび図１ｂに示す配管接続構造１０は、円弧Ｒに内接する多角形の辺Ｈに沿って配列される左右の直管１１、１２と、その間を接続するための角度調節管１３とからなる。さらにこの実施形態では、左右の直管１１、１２の間に、円弧の法線方向に延びる大梁１４が設けられ、その大梁１４あるいはその下部に設けられる間仕切り壁（図２の符号１５参照）に配管を通すための貫通孔１６が形成されている。図２に示すように、大梁１４と他の大梁との間には、前記多角形の辺Ｈに沿って小梁１７、１７が設けられている。大梁１４と小梁１７とは直角より微小な角度θだけ小さい角度で交差している。小梁１７の中心線同士は、その微小な角度の２倍の角度２θで交差することになる。そして左右の直管１１、１２同士も２θの角度で交差することになる。
【００２３】
図２に示すように、それぞれの直管１１、１２は、小梁１７に取り付けた吊り金具１８によって吊られている。吊り金具１８は、この実施形態では、Ｌ字状のブラケット１９と、それらのブラケットに吊られたロッド２０と、直管１１、１２の周囲を締め付けて前記ロッド２０の下端に支持される環状の金具２１とからなる。ロッド２０はナット２２により上下調節自在にブラケット１９に吊られており、環状の金具２１はナット２３によって上下調節自在にロッド２０に吊られている。
【００２４】
前記直管１１、１２は溶接が可能な材料、とくに鋼管を所定の寸法に切断することによって製造される。切断端はその軸心に直角にされており、端部の外周の稜線に沿って溶接のための開先が形成されている。左右の直管１１、１２同士は同径である。フランジやネジは設けない。
【００２５】
図３ａに示すように、角度調節管１３は、左右の直管１１、１２と同径の直管からなる中央部２５と、その中央部の両端から斜めに延びる連結部（傾斜部）２６とから構成されている。連結部２６も左右の直管１１、１２と同径の鋼管から構成されている。中央部２５と連結部２６とは中心軸同士が微小な角度θを呈するように連続している。この微小な角度θは図２の大梁１４と小梁１７との角度の余角と同一である。このような角度調節管１３は、たとえば工場などであらかじめ製造しておくことができ、そのほうが精度よく製造できる。
【００２６】
前記角度調節管１３を製造するには、たとえば図３ｂに示すように、まず、まっすぐな鋼管を所定の長さＬ1に切断し、その両端面が中心線に対して所定の角度θの余角（９０°−θ）を呈するように、すなわち軸線に直角の端面に対して角度θとなるように切削する。それにより中央部２５が得られる。ついで同じ寸法の鋼管を所定の短いＴで切断した短管２６ａを２個準備する。なお中央部の長さＬ1は、たとえば４００〜６００ｍｍ程度であり、短管２６ａの長さは２００〜３００ｍｍ程度である。そしてその短管２６ａを中央部２５の両端の傾斜面に突き合わせ溶接で接続し、連結部２６とする。それにより全長Ｌの角度調節管１３が得られる。連結部２６の自由端には、溶接のための開先を形成しておく。
【００２７】
なお、図３ｃに示すように、中央部２５の製造のとき、前記軸心に直角の面に対して所定の角度θの１／２の角度（θ／２）を呈するように切削し、短管２６ａの接続すべき端面も軸心に直角の面に対して所定の角度θの１／２の角度を呈するように切削し、両者を突き合わせ溶接するようにしてもよい。このようにすると切削工数は増えるが、面同士が一致するので、溶接が容易である。また、ほぼ全長に等しい鋼管の両端近辺を、それぞれ所定の角度θの余角の１／２となるように帯鋸盤などで切断し、切断した端面を平滑にして開先を形成し、切断した短い鋼管を軸心周りに１８０°回転させて溶接すれば、同様の角度調節管１３が得られる。いずれの場合も、工場内で製造する場合は、分度器を組み込んだ角度ゲージを用いたり、溶接治具を用いたりすることにより、正確な寸法で製造することができる。
【００２８】
前記所定の角度θは前述したように図２の大梁１４と小梁１７のなす角度の余角であるが、通常は３〜８°程度である。図４に示すように、配管を複数の同心状の円弧Ｒ１、Ｒ２・・・の接線方向に設ける場合は、接線方向の梁は平行なので、所定の角度θは外周でも内周でも同じである。なお、前記実施形態では、左右の連結部２６と中央部２５とを溶接で接続して連続させているが、曲げ加工により形成することもできる。たとえば溶接できない材料の場合は、曲げ加工により構成するか、後述するフランジ接続やソケット接続などを採用してもよい。ただし前述のように溶接により形成する方が精度が高いので、溶接が可能な材料の場合は溶接により連続させる方が好ましい。また前記実施形態では左右の連結部２６の角度を等しくしているが、隣接する法線方向の梁の間の角度が左右で異なる場合には、左右の連結部２６の角度が異なる。さらに長円形の競技場などのように、円弧状の外周壁から直線状の外周壁に移行する部位などでは、片方の連結部２６の角度が０゜になる。その場合は実際には中央部２５を長くして、その中央部の延長部で連結部を構成することができる。
【００２９】
上記のようにして製造される直管１６、１７および角度調節管１３を、図４に示すような円弧状の外壁３０を有する建物３１に組み付けるには、まず、図１ａのように左右の直管１１、１２を吊り金具１８によって小梁１７に吊り下げる。そのとき、図４のように円弧の法線方向に配列される柱３２の基準線Ｉ、すなわち法線方向の通り芯と、円弧Ｒとの交点Ｐ同士を連結する弦Ｑに沿って左右端近辺の２カ所に吊り金具１８を設け、それらに直管１１、１２を吊り下げる。ついで図１の矢印Ｓに示すように、角度調節管１３を左右の直管の間に配置する。そのとき、大梁１４に貫通孔がある場合、あるいは大梁の下方の間仕切り壁１５に貫通孔１６がある場合は、その貫通孔１６に角度調節管１３の中央部２５を通して配置する。その場合、角度調節管１３は図３からわかるように、ほぼ直管に近い形状であるので、通しやすい。なお、先に角度調節管１３を貫通孔１６に通しておき、その後、左右の直管１１、１２を配置することもできる。また、一方の直管１１を設置し、角度調節管１３を接合し、さらに他方の直管１２を接合するというように、一方から他方に向かって順に配管を延設していくこともできる。
【００３０】
ついで図２に示すように、直管１１、１２の端部と角度調節管１３の連結部２６の端部とを突き合わせ溶接する。このような突き合わせ溶接では、直管１１、１２と連結部２６とは同心状に配列されており、しかも間仕切り壁１５から離れているので、溶接作業が容易である。なお、溶接作業に際しては、あらかじめ数カ所を点溶接し、全体の寸法や角度を微調節した後、全周を溶接していく。それにより、図１ｂに示すように、左右の直管１１、１２同士が角度調節管１３で連結された配管接続構造１０が得られる。
【００３１】
なお、冷温水用配管の場合は、通常は配管接続作業が完了した後に、図１ｂの想像線で示すように、その配管の外周に断熱材３４を設ける。
断熱材３４は通常は、片側でつながった二つ割りのパイプ状の形態を有し、発泡樹脂などで製造される。そして二つ割りの半体同士の間に配管を挟み込み、外周をテープなどで締結することにより設ける。その場合、間仕切り壁１５の貫通孔１６には、角度調節管１３の中央部２５が対応するので、貫通孔１６の内部での断熱材３４の設置工事が容易である。さらに前記角度調節管１３では、中央部２５と連結部２６とがそれぞれ直管で構成されているので、曲管に装着する場合に比して、断熱材３４の装着が容易である。ただしシート状の断熱材を巻き付けてテープで止めたり、テープ状の断熱材を巻き付けていくことも可能であり、その場合も断熱材の装着が容易である。
【００３２】
図５は上記のようにして設置された円弧状の配管を用いた空調用配管を示している。図５の符号３５ａは冷水の往配管で、符号３５ｂは冷水の還配管であり、一対で冷水の往還用の配管３５としている。そしてそれぞれの配管から一対ずつ枝配管３６が分岐されており、各室の空調機３７に接続されている。さらにもっとも内側の円弧には、冷水熱源を冷却するための冷却水往配管３７ａおよび還配管３７ｂが設置されている。
【００３３】
前記実施形態では左右の直管１１、１２および角度調節管１３として鋼管を用い、それらの接続に溶接継ぎ手を採用している。しかし溶接継ぎ手に代えて、図６に示す配管接続構造４１のように、フランジ継ぎ手４２を採用することもできる。このものは、直管１１、１２の端部にフランジ４３、４４をあらかじめ設けておき、さらに角度調節管１３の連結部２６の端部にも対応するフランジ４５を設けておく。そして両者の間にシール用のガスケット４６を挟み、ボルト４７で締結する。あるいはボルトとナットで締結する。直管１１、１２や角度調節管１３が鋼管の場合は、フランジ４３、４４、４５は溶接フランジが用いられる。ただしフランジ継ぎ手４２を用いる場合は、溶接すべき個所、すなわち溶接リングの巻き数ないし巻き長さが増大し、しかもガスケット４６から漏水するおそれがあるので、図１のフランジを用いない突き合わせ溶接による連結が好ましい。
【００３４】
このような直管１１、１２と角度調節管１３との接続をフランジ継ぎ手とする構造は、むしろ、直管１１、１２として溶接ができない、ないしは溶接しにくい合成樹脂パイプあるいは合成樹脂製のライナーを有する鋼管などを円弧状に配管する場合に採用する。それにより配管材料に制限されないで本発明の配管接続構造を実施することができる。
【００３５】
図７に示す配管接続構造４８は、前記フランジ継ぎ手４２に代えて、ソケット継ぎ手４９を採用する場合を示している。溶接することが可能な配管材料の場合は、溶接ソケット５０を採用するが、溶接できない場合はたとえばネジソケットを採用する。
【００３６】
前記実施形態では、片方の連結部の角度が０゜の場合を除き、いずれの場合も、角度調節管１３の中央部２５と連結部２６の角度は直管１１、１２同士の角度より小さいので、配管全体として、内部を通る流体のベント抵抗が少なく、水頭損失も少ない。さらに角度調節管１３は全体形状がほぼ直管に近く、大梁１４の下部の間仕切り壁１５の貫通孔１６に通す作業や断熱材を装着する作業が容易である。また、中央部の内部に重心がくるので、自軸回りに回転させる作業など、各種の取り扱い作業が楽である。
【図面の簡単な説明】
【００３７】
【図１】図１ａおよび図１ｂはそれぞれ本発明の配管接続構造の一実施形態を示す組立前の平面図および組立後の平面図である。
【図２】図１の配管接続構造の組立途中の斜視図である。
【図３】図３ａは図１の配管接続構造に用いる角度調節管の平面図、図３ｂおよび図３ｃはそれぞれその角度調節管の製造法の一実施形態を示す概略工程図である。
【図４】図１の配管接続構造を用いた建物の円弧状配管の一実施形態を示す平面図である。
【図５】図１の配管接続構造を用いた建物の円弧状配管の他の実施形態を示す平面図である。
【図６】本発明の配管接続構造の他の実施形態を示す平面図である。
【図７】本発明の配管接続構造のさらに他の実施形態を示す平面図である。
【図８】従来の配管接続構造の一例を示す斜視図である。
【図９】従来の配管接続構造の他の例を示す斜視図である。
【図１０】従来の配管接続構造のさらに他の例を示す平面図である。
【符号の説明】
【００３８】
Ｒ  円弧
１０  配管接続構造
１１、１２  直管
１３  角度調節管
１４  大梁
１５  間仕切り壁
１６  貫通孔
１７  小梁
θ  微小な角度
１８  吊り具
１９  ブラケット
２０  ロッド
２１  環状の金具
２２、２３  ナット
２５  中央部
２６  連結部
２６ａ  短管
Ｌ1  中央部の長さ
Ｔ  連結部の長さ
Ｌ  全長
３０  外壁
３２  柱
Ｉ  基準線
Ｐ  交点
Ｑ  弦
Ｓ  矢印
３４  断熱材
４１  配管接続構造
４２  フランジ継ぎ手
４３、４４、４５  フランジ
４６  ガスケット
４７  ボルト
４８  配管接続構造
４９  ソケット継ぎ手
５０  溶接ソケット
【図１】
2005163862.tif 000003
【図２】
2005163862.tif 000004
【図３】
2005163862.tif 000005
【図４】
2005163862.tif 000006
【図５】
2005163862.tif 000007
【図６】
2005163862.tif 000008
【図７】
2005163862.tif 000009
【図８】
2005163862.tif 000010
【図９】
2005163862.tif 000011
【図１０】
2005163862.tif 000012